(57)【要約】【課題】  薄型腕時計に適用可能な薄型の中留及び腕時計を提供することにある。【解決手段】  表カバー１０と中板１１と下板１３とを有し、表カバー１０にはばね棒１５を介して当該表カバー１０の内側に保持されて、中板もしくは下板に形成されたフック１１Ａと係合する方向に付勢されるスライド部材２１を備え、表カバー１０の外側に突出した操作部を操作することにより、スライド部材２１をスライドさせて、当該スライド部材と中板もしくは下板に形成されたフック１１Ａとの係合を解除する中留７である。スライド部材２１が平板状に形成され、その平板部にはフックと係合する係合部２１Ｂと、ばね棒１５が貫通する長孔２３を有する保持部２２とが形成される。【選択図】      図４
2005137789.tif 000002
【特許請求の範囲】
【請求項１】
表カバーと中板と下板とを有し、前記表カバーにはばね棒を介して当該表カバーの内側に保持されて、前記中板もしくは前記下板に形成されたフックと係合する方向に付勢されるスライド部材を備え、前記表カバーの外側に突出した操作部を操作することにより、スライド部材をスライドさせて、当該スライド部材と前記中板もしくは前記下板に形成されたフックとの係合を解除する中留において、
前記スライド部材が平板状に形成され、
その平板部には前記フックと係合する係合部と、前記ばね棒が貫通する長孔を有する保持部とが形成されていることを特徴とする中留。
【請求項２】
前記スライド部材における前記保持部の間に前記係合部が形成されていることを特徴とする請求項１記載の中留。
【請求項３】
前記スライド部材と前記操作部とが平板状の素材をプレス加工することにより一体的に形成されていることを特徴とする請求項２記載の中留。
【請求項４】
前記操作部の板厚がほかの部分の板厚よりも厚く形成されていることを特徴とする請求項３記載の中留。
【請求項５】
前記フックの高さが前記保持部の高さよりも低く形成されていることを特徴とする請求項１乃至４のいずれか一項記載の中留。
【請求項６】
前記スライド部材を付勢する手段がコイルばねであることを特徴とする請求項１乃至５のいずれか一項記載の中留。
【請求項７】
時計ケースと、時計バンドと、この時計バンドの中留とを備え、
この中留が、表カバーと中板と下板とを有し、前記表カバーにはばね棒を介して当該表カバーの内側に保持されて、前記中板もしくは前記下板に形成されたフックと係合する方向に付勢されるスライド部材を備え、前記表カバーの外側に突出した操作部を操作することにより、スライド部材をスライドさせて、当該スライド部材と前記中板もしくは前記下板に形成されたフックとの係合を解除するように構成され、
前記スライド部材が平板状に形成され、
その平板部には前記フックと係合する係合部と、前記ばね棒が貫通する長孔を有する保持部とが形成されていることを特徴とする腕時計。
【請求項８】
前記スライド部材における前記保持部の間に前記係合部が形成されていることを特徴とする請求項７記載の腕時計。
【請求項９】
前記スライド部材と前記操作部とが平板状の素材をプレス加工することにより一体的に形成されていることを特徴とする請求項８記載の腕時計。
【請求項１０】
前記操作部の板厚がほかの部分の板厚よりも厚く形成されていることを特徴とする請求項９記載の腕時計。
【請求項１１】
前記フックの高さが前記保持部の高さよりも低く形成されていることを特徴とする請求項７乃至１０のいずれか一項記載の腕時計。
【請求項１２】
前記スライド部材を付勢する手段がコイルばねであることを特徴とする請求項７乃至１１のいずれか一項記載の腕時計。
【発明の詳細な説明】
【技術分野】
【０００１】
本発明は、例えば、腕時計用バンドやブレスレット等の帯状装身具の中留およびそれを用いた腕時計に関する。
【背景技術】
【０００２】
一般に、表カバーと中板と下板とを有し、表カバーにはばね棒を介して当該表カバーの内側に保持されて、中板もしくは下板に形成されたフックと係合する方向に付勢されるスライド部材を備え、表カバーの外側に突出した操作部を操作することにより、スライド部材をスライドさせて、当該スライド部材と中板もしくは下板に形成されたフックとの係合を解除する三つ折れ中留が知られている（例えば、特許文献１参照）。
【特許文献１】特開２０００−２０１７１０号公報
【発明の開示】
【発明が解決しようとする課題】
【０００３】
しかし、従来の構成では、錠止ピンと摺動錠止板とを係合させて、スライド部材と中板もしくは下板に形成されたフックとを係合させているため、錠止ピンの先端部が摺動錠止板の上面より上方に飛び出ることとなり、中留の表カバーの上面から下板までの厚さを薄くすることが困難になるという問題がある。また、錠止部材をバンド長さ方向にスライドさせるため、上部枠体には錠止部材の厚さより若干高い立ち上り部が必要となり、さらに、錠止ピンの先端部を収めるための凸部が形成されているため、中留の表カバーの上面から下板までの厚さを薄くすることが困難になるという問題がある。
そこで、本発明の目的は、上述した従来の技術が有する課題を解消し、薄型腕時計に適用可能な薄型の中留及び腕時計を提供することにある。
【課題を解決するための手段】
【０００４】
本発明は、表カバーと中板と下板とを有し、前記表カバーにはばね棒を介して当該表カバーの内側に保持されて、前記中板もしくは前記下板に形成されたフックと係合する方向に付勢されるスライド部材を備え、前記表カバーの外側に突出した操作部を操作することにより、スライド部材をスライドさせて、当該スライド部材と前記中板もしくは前記下板に形成されたフックとの係合を解除する中留において、前記スライド部材が平板状に形成され、その平板部には前記フックと係合する係合部と、前記ばね棒が貫通する長孔を有する保持部とが形成されていることを特徴とする。
また、この場合において、前記スライド部材における前記保持部の間に前記係合部が形成されていてもよい。
またさらに、前記スライド部材と前記操作部とが平板状の素材をプレス加工することにより一体的に形成されていてもよい。
さらに、操作部の板厚がほかの部分の板厚よりも厚く形成されていてもよい。
フックの高さが保持部の高さよりも低く形成されていてもよい。
スライド部材を付勢する手段がコイルばねであってもよい。
【０００５】
また、時計ケースと、時計バンドと、この時計バンドの中留とを備え、この中留が、表カバーと中板と下板とを有し、前記表カバーにはばね棒を介して当該表カバーの内側に保持されて、前記中板もしくは前記下板に形成されたフックと係合する方向に付勢されるスライド部材を備え、前記表カバーの外側に突出した操作部を操作することにより、スライド部材をスライドさせて、当該スライド部材と前記中板もしくは前記下板に形成されたフックとの係合を解除するように構成され、前記スライド部材が平板状に形成され、その平板部には前記フックと係合する係合部と、前記ばね棒が貫通する長孔を有する保持部とが形成されていてもよい。
また、この場合において、前記スライド部材における前記保持部の間に前記係合部が形成されていてもよい。
またさらに、前記スライド部材と前記操作部とが平板状の素材をプレス加工することにより一体的に形成されていてもよい。
さらに、操作部の板厚がほかの部分の板厚よりも厚く形成されていてもよい。
フックの高さが保持部の高さよりも低く形成されていてもよい。
スライド部材を付勢する手段がコイルばねであってもよい。
【発明の効果】
【０００６】
本発明では、スライド部材が平板状に形成され、その平板部にはフックと係合する係合部と、ばね棒が貫通する長孔を有する保持部とが形成されているため、表カバーの内側にスライド部材をコンパクトに収容することができ、従って、薄型腕時計に適用可能な薄型の中留が提供される。
【発明を実施するための最良の形態】
【０００７】
以下、本発明の一実施形態を、図面に基づき説明する。
図１は、本発明の実施形態に係る腕時計の外観構成を示す図である。この腕時計１は、時刻表示を行う時計本体３と、この時計本体３に連結されたバンド５とから構成される。時計本体３は、例えば、ステンレス、チタン等で形成された金属ケース内に、時計表示部が内蔵されて構成される。
なお、本構成では、時刻をアナログ表示する腕時計を例示したが、時刻をデジタル表示する腕時計であってもよい。
バンド５は、ステンレス、チタン等の金属材料で形成された駒を多数連結して構成される。バンド５は、上バンド５Ａと、下バンド５Ｂとからなり、これら上バンド５Ａと、下バンド５Ｂとは、この腕時計１を装着部位（装着者の手首）に止めるため、中留（結束部）７で結束される。
【０００８】
この中留７は、図２又は図４に示すように、上バンド５Ａにピン連結された表カバー１０と、下バンド５Ｂにピン連結された中板１１と、中板１１にピン１２で連結された下板１３と、表カバー１０の内側に収容されたスライド部材２１とを備えて構成される。
表カバー１０には、図５に示すように、その裏側に延びる一対の立上部１０Ａと、各立上部１０Ａに形成された開口部１０Ｂと、開口部１０Ｂの両側の立上部１０Ａに形成された孔１０Ｃとが形成され、この孔１０Ｃの内、最も外側の孔には夫々ピン１４を介して上バンド５Ａと、下板１３とが連結される。また、孔１０Ｃの内、最も内側の孔には夫々ばね棒１５が挿入される。夫々のばね棒１５は、図４に示すように、スライド部材２１の保持部２２の長孔２３を貫通し、その両端が、各立上部１０Ａの孔１０Ｃに保持され、スライド部材２１を表カバー１０の内側に保持する。
【０００９】
このスライド部材２１は、図６に示すように、概ね平板状に形成される。その平板部２１Ａには、中板１１に形成された逆Ｌ字形状のフック１１Ａ（図２）に係合する係合部２１Ｂと、ばね棒１５が貫通する長孔２３を有する４つの保持部２２と、表カバー１０の開口部１０Ｂを通じて、表カバー１０の両外側に突出（図２参照）する一対の操作部２５とが一体的に形成される。
ここで、フック１１Ａは、図２に示すように、中板１１の一部を切り起こして形成してもよく、或いは、図３Ａ，Ｂに示すように、別個のフック１１Ａを中板１１に対してねじ１１Ｃ止めしてもよく、もしくは中板１１の裏面側からかしめてもよい。
なお、図示は省略したが、中留７の構造によっては、フック１１Ａを中板１１でなく、下板１３に形成する場合がある。この下板１３にフックを形成する場合においても、当該フックは同様に構成される。
【００１０】
スライド部材２１の製造手順を説明すると、まず、一枚の平板（平板状の素材）１００を、図７に示すように、プレスにより打ち抜き加工する。
ついで、矢印Ａ，Ｂで示す方向に折り曲げて、破線で示す２つの保持部２２Ａ，２２Ｂを形成し、さらに、平板１００を重ね合わせるように、矢印Ｃ，Ｄで示す方向に折り曲げて、破線で示す２つの保持部２２Ｃ，２２Ｄを形成すると共に、一対の操作部（とっ手部）２５を形成する。
この場合において、上記係合部２１Ｂは平板１００の一部で形成されており、２つの保持部２２Ａ，２２Ｂの間に形成されている。
また、操作部２５の板厚Ｔ１は、例えば、プレスによる圧縮工程を付加することなどによって、ほかの平板１００の板厚Ｔ２よりも厚くしておくことが望ましい。これによれば、操作部２５に手指を添えてスライド部材２１をスライドさせる場合、手指に作用する単位面積当たりの力を小さくすることができ、操作性を向上させることができる。
【００１１】
この操作部２５は、図６に示すように、平板部２１Ａとの間に寸法Ｌ１をあけて形成される。この寸法Ｌ１は、表カバー１の立上部１０Ａの厚さよりも若干大きく形成され、スライド部材２１が表カバー１０の内側に装着されるとき、操作部２５に連なる首部２１Ｃが、表カバー１０の開口部１０Ｂに嵌め込まれる。
また、上記首部２１Ｃの幅寸法Ｌ４は、表カバー１０の開口部１０Ｂの幅寸法Ｌ３よりも小さく設定される。
このスライド部材２１は、保持部２２Ｃ，２２Ｄの間に凹部２１Ｄを有し、この凹部２１Ｄの壁面２１Ｅにばね受け２１Ｆを備えて構成される。
そして、スライド部材２１が表カバー１０の内側に装着されたとき、図４に示すように、ばね受け２１Ｆとばね棒１５との間に、コイルばね２６が配置され、このコイルばね２６により、スライド部材２１は、逆Ｌ字形状のフック１１Ａと係合部２１Ｂとが係合する方向（図４の矢印Ｘ方向）に付勢される。このコイルばね２６の一端２６Ａは、図８に示すように、ばね受け２１Ｆの外周に嵌って係止される。従って、コイルばね２６を安定した状態でセットできる。
【００１２】
上記構成では、図４に示すように、フック１１Ａの高さが保持部２２の高さよりも低く形成される。このことによって、スライド部材２１を収容する表カバー１０の高さＨ（図５）は、この保持部２２の高さによって支配される。
本構成では、一枚の平板１００を、図７に矢印Ａ，Ｂで示すように折り曲げ加工することにより保持部２２を形成するため、保持部２２の高さを比較的低く抑えることができ、この保持部２２の高さによって支配される表カバー１０の高さＨをより低く抑えることができ、表カバー１０の小型薄型化が図られる。
【００１３】
表カバー１０へのスライド部材２１の組み込みは次の通りである。
図６に示す状態のスライド部材２１の保持部２２の長孔２３にばね棒１５を挿通し、ばね受け２１Ｆとばね棒１５の間にコイルばね２６をセットした後、ばね棒１５の先端部のピン（図示せず）を表カバー１０の立上部１０Ａの開口部１０Ｂ近傍に形成された孔１０Ｃに挿入して、スライド部材２１を表カバー１０に取り付ける。
この取り付け状態では、コイルばね２６が、ばね受け２１Ｆとばね棒１５の間にセットされることによって、スライド部材２１の全体がばね棒１５に対して前方（コイルばね２６の長さ方向）に移動した状態で安定した状態となる。
【００１４】
操作は次の通りである。
中留７をロックする場合には、表カバー１０と、中板１１と、下板１３とを重ね合わせた後、表カバー１０を中板１１の方向に押し下げる。
これを押し下げると、まず、スライド部材２１の係合部２１Ｂの下面がフック１１Ａの上面に当接する。ここで、係合部２１Ｂの下面には、図４に示すように、傾斜面３０が形成されており、スライド部材２１には、この傾斜面３０の機能により、コイルばね２６のばね力に抗して矢印Ｘ方向と逆方向に向かう分力が作用し、この分力により押されてスライド部材２１全体がその方向に移動する。スライド部材２１全体がその方向に移動すると、係合部２１Ｂとフック１１Ａのオーバーラップ状態が解除されて、フック１１Ａの下に係合部２１Ｂが位置すると同時に、図４に示すように、スライド部材２１全体が、コイルばね２６の弾性力によって元の位置に押し戻され、これによって、係合部２１Ｂの上面部がフック１１Ａの凹部内に移動してロックされる。
【００１５】
中留７のロックを解除する場合には、表カバー１０の立上部１０Ａの外側面から突出する操作部２５を掴んで、この操作部２５をバンド長さ方向（図４の矢印Ｘと逆方向。）にスライドさせる。すると、中板１１のフック１０Ａと、スライド部材２１の係合部２１Ｂとのかみ合わせが解除され、さらに、表カバー１０を中板１１と反対方向に回動させると、当該ロックが解除されて、図２の状態となる。
【００１６】
上記構成では、スライド部材２１の操作部２５が、図６に示すように、バンド長さ方向に首部２１Ｃよりも突出する凸部２５Ａを備えて構成される。
この構成では、図２に示すように、この凸部２５Ａが、表カバー１０の開ロ部１０Ｂの長さ方向の隙間を覆うことになる。従って、外から開ロ部１０Ｂが見えることがなく、外観美を損なうことがない。
別の実施形態として、図９に示すように、スライド部材２１の首部２１Ｃの下面に、張り出し部３１を設けることが可能である。この場合、張り出し部３１の突出寸法Ｌ２は、表カバー１０の立上部１０Ａの厚さよりも若干小さくする。
これによれば、表カバー１０の開口部１０Ｂの厚さ方向の隙間を埋めることができ、外観美を損なうことがない。
【００１７】
図１０は、別の実施形態を示す。
この構成では、バンド幅方向の２つの保持部２２Ａ，２２Ｂ間を連結部２２Ｅで連結すると共に、２つの保持部２２Ｃ，２２Ｄ間の凹部２１Ｄを延ばして、当該２つの保持部２２Ｃ，２２Ｄ間を完全に分離し、そこにコイルばね２６を設け、このコイルばね２６を連結部２２Ｅとばね棒１５間に保持して構成される。
これによれば、図６に示す場合と比べて、スライド部材２１の長さ（バンド長さ方向）をコンパクトにすることができる。
なお、図１０において、保持部２２Ａ，２２Ｂ近傍に切り込み３３を設けているが、これを設けることによって、図７に示すように平板１００を折り曲げて保持部２２Ａ，２２Ｂを形成するとき、その折り曲げを容易に行うことができる。
【００１８】
図１１及び図１２は、別の実施形態を示す。
この構成では、スライド部材４１に開口部４３が形成され、この開口部４３に中板１１のフック１１Ａが嵌り合っている。
そして、開口部４３の縁４５の下面に傾斜面４７が形成されている。この傾斜面４７の機能は、上記実施形態の傾斜面３０の機能と同じである。これによっても、表カバー１０の小型、薄型化が図れる。
【００１９】
図１３Ａ〜Ｃは、さらに別の実施形態を示す。
本構成では、スライド部材２１の２つの保持部２２Ｃ，２２Ｄ間に、図１３Ｃに示すように、セットされたコイルばね２６の上方を覆う張り出し部５１が一体に形成される。これによれば、コイルばね２６のばね棒１５側の端部を安定させることができる。この構成は、例えば、図８の構成と組み合わせてもよい。
【００２０】
以上、各実施形態によれば、スライド部材２１に係合部２１Ｂを直接形成したので、中板１１に形成した逆Ｌ字型のフック１１Ａの上面部がスライド部材２１の厚さ寸法内に位置することとなり、中留７の総厚を薄くすることができる。
また、スライド部材２１に操作部２５を一体形成したので、従来のものに比べて、部品点数が少なくなり低コスト化が図られる、等の効果が得られる。
【図面の簡単な説明】
【００２１】
【図１】本発明の一実施形態を示す腕時計の斜視図である。
【図２】同じく中留の斜視図である。
【図３】Ａはフックの斜視図、Ｂは断面図である。
【図４】中留の断面図である。
【図５】表カバーの斜視図である。
【図６】スライド部材の斜視図である。
【図７】スライド部材の展開図である。
【図８】コイルばねの受け部の斜視図である。
【図９】スライド部材の別の実施形態を示す図である。
【図１０】スライド部材の別の実施形態を示す図である。
【図１１】スライド部材の別の実施形態を示す断面図である。
【図１２】スライド部材の平面図である。
【図１３】Ａはスライド部材の別の実施形態を示す斜視図、Ｂは断面図、Ｃはコイルばねをセットした状態を示す断面図である。
【符号の説明】
【００２２】
７…中留、１０…表カバー、１０Ａ…立上部、１０Ｂ…開口部、１１…中板、１１Ａ…フック、１３…下板、１５…ばね棒、２１…スライド部材、２２…保持部、２３…長孔、２５…操作部、１００…平板。
【図１】
2005137789.tif 000003
【図２】
2005137789.tif 000004
【図３】
2005137789.tif 000005
【図４】
2005137789.tif 000006
【図５】
2005137789.tif 000007
【図６】
2005137789.tif 000008
【図７】
2005137789.tif 000009
【図８】
2005137789.tif 000010
【図９】
2005137789.tif 000011
【図１０】
2005137789.tif 000012
【図１１】
2005137789.tif 000013
【図１２】
2005137789.tif 000014
【図１３】
2005137789.tif 000015